(57)【特許請求の範囲】
【請求項１】
ワイヤレス通信のための方法であって、
アクセスポイントから2つ以上のデバイスへの送信のための要求メッセージを生成するステップであって、前記要求メッセージは、前記2つ以上のデバイスが、特定の時間に同時に自動省電力配信フレーム(APSDフレーム)を前記アクセスポイントに送信することを要求する、ステップと、
前記アクセスポイントから、前記2つ以上のデバイスに前記要求メッセージを送信するステップと
を含み、
前記要求メッセージは、ビーコンフレームを含み、
前記ビーコンフレームを送信した後に送信可フレームを前記アクセスポイントから送信するステップをさらに含む、方法。
【請求項２】
前記アクセスポイントで、第1の時間期間の間に前記APSDフレームの第1のフレームの少なくとも第1の部分を受信し、第2の時間期間の間に前記APSDフレームの第2のフレームの少なくとも第2の部分を受信するステップをさらに含み、前記第1の時間期間と前記第2の時間期間とが重複する、請求項1に記載の方法。
【請求項３】
前記2つ以上のデバイスの各々が前記APSDフレームを送信するためのスケジュールに従って、前記2つ以上のデバイスから前記APSDフレームを前記アクセスポイントで受信するステップをさらに含み、前記要求メッセージが前記スケジュールを含む、請求項1に記載の方法。
【請求項４】
アクセスカテゴリーをそれぞれ有する前記2つ以上のデバイスからの前記APSDフレームを前記アクセスポイントで受信するステップをさらに含み、前記要求メッセージが、前記2つ以上のデバイスの各々からの前記APSDフレームのうちの少なくとも1つの送信のための前記アクセスカテゴリーを示す、請求項1に記載の方法。
【請求項５】
前記要求メッセージは、ビーコンフレーム、肯定応答フレーム、および送信可フレームのうちの少なくとも1つを含む、請求項1に記載の方法。
【請求項６】
アップリンクマルチユーザMIMO送信およびアップリンクFDMA送信のうちの少なくとも1つを介して、前記2つ以上のデバイスから前記APSDフレームを前記アクセスポイントで受信するステップ
をさらに含む、請求項1に記載の方法。
【請求項７】
前記2つ以上のデバイスから前記APSDフレームを前記アクセスポイントで受信するステップと、
前記APSDフレームを受信したことに応答して、シングルユーザデータまたはマルチユーザデータを含む少なくとも1つのデータメッセージを前記アクセスポイントで生成するステップと、
前記2つ以上のデバイスに前記アクセスポイントから前記少なくとも1つのデータメッセージを送信するステップと
をさらに含む、請求項1に記載の方法。
【請求項８】
前記ビーコンフレームが、いつ前記送信可フレームが前記2つ以上のデバイスに送信されるかを示す情報要素(IE)を含む、又は、
前記ビーコンフレームが、前記送信可フレームが前記2つ以上のデバイスに送信されない時間Mを示す、又は、
前記ビーコンフレームが、前記送信可フレームが前記2つ以上のデバイスに送信されない第1の時間Mおよび前記第1の時間Mの後に前記2つ以上のデバイスが競合を実行し得る第2の時間Cを示す、請求項1に記載の方法。
【請求項９】
ワイヤレス通信のためのアクセスポイントであって、
前記アクセスポイントから2つ以上のデバイスへの送信のための要求メッセージを生成するための手段であって、前記要求メッセージは、前記2つ以上のデバイスが、特定の時間に同時に自動省電力配信フレーム(APSDフレーム)を前記アクセスポイントに送信することを要求する、手段と、
前記アクセスポイントから、前記2つ以上のデバイスに前記要求メッセージを送信するための手段と
を含み、
前記要求メッセージは、ビーコンフレームを含み、
前記ビーコンフレームを送信した後に送信可フレームを前記アクセスポイントから送信するための手段をさらに含む、アクセスポイント。
【請求項１０】
第1の時間期間の間に前記APSDフレームの第1のフレームの少なくとも第1の部分を受信し、第2の時間期間の間に前記APSDフレームの第2のフレームの少なくとも第2の部分を受信するための手段をさらに含み、前記第1の時間期間と前記第2の時間期間とが重複する、請求項9に記載のアクセスポイント。
【請求項１１】
前記2つ以上のデバイスの各々が前記APSDフレームのうちの少なくとも1つを送信するためのスケジュールに従って、前記2つ以上のデバイスから前記APSDフレームを受信するための手段をさらに含み、前記要求メッセージが前記スケジュールを含む、請求項9に記載のアクセスポイント。
【請求項１２】
アクセスカテゴリーをそれぞれ有する前記2つ以上のデバイスからの前記APSDフレームを受信するための手段をさらに含み、前記要求メッセージが、前記2つ以上のデバイスの各々からの前記APSDフレームの各々の送信のための前記アクセスカテゴリーを示す、請求項9に記載のアクセスポイント。
【請求項１３】
アップリンクマルチユーザMIMO送信またはアップリンクFDMA送信のうちの少なくとも1つを介して、前記2つ以上のデバイスから前記APSDフレームを受信するための手段
をさらに含む、請求項9に記載のアクセスポイント。
【請求項１４】
前記2つ以上のデバイスから前記APSDフレームを受信するための手段と、
前記APSDフレームを受信したことに応答して、シングルユーザデータまたはマルチユーザデータを含む少なくとも1つのデータメッセージを生成するための手段と、
前記2つ以上のデバイスに前記少なくとも1つのデータメッセージを送信するための手段と
をさらに含む、請求項9に記載のアクセスポイント。
【請求項１５】
実行されたとき、コンピュータに請求項1乃至8のいずれか1項に記載の方法を実行させる命令を記憶したコンピュータ可読記録媒体。
【発明の詳細な説明】
【技術分野】
【０００１】
本開示のいくつかの態様は、一般にワイヤレス通信に関し、より詳細には、強化された省電力プロトコルのための方法および装置に関する。
【背景技術】
【０００２】
多くの電気通信システムでは、いくつかの相互作用する空間的に分離されたデバイス間でメッセージを交換するために、通信ネットワークが使用される。ネットワークは、たとえば、メトロポリタンエリア、ローカルエリア、またはパーソナルエリアとすることができる地理的範囲に従って分類される場合がある。そのようなネットワークは、それぞれ、ワイドエリアネットワーク(WAN)、メトロポリタンエリアネットワーク(MAN)、ローカルエリアネットワーク(LAN)、またはパーソナルエリアネットワーク(PAN)と呼ばれ得る。ネットワークはまた、様々なネットワークのノードおよびデバイスを相互接続するために使用されるスイッチング/ルーティング技法(たとえば、回線交換対パケット交換)、伝送に用いられる物理媒体のタイプ(たとえば、有線対ワイヤレス)、および使用される通信プロトコルのセット(たとえば、インターネットプロトコルスイート、SONET(同期光ネットワーキング)、イーサネット(登録商標)など)により異なる。
【０００３】
ネットワーク要素が移動式であり、したがって、動的に接続する必要性があるときに、またはネットワークアーキテクチャが、固定されたトポロジではなく、アドホックなトポロジにおいて形成される場合に、ワイヤレスネットワークが好ましいことが多い。ワイヤレスネットワークは、無線、マイクロ波、赤外線、光などの周波数帯域内の電磁波を使用して無誘導伝搬モードにおいて、無形物理媒体を用いる。ワイヤレスネットワークは、有利には、固定有線ネットワークと比較して、ユーザ移動性と迅速な現場配置とを容易にする。
【発明の概要】
【発明が解決しようとする課題】
【０００４】
ワイヤレス通信システムに要求される帯域幅要件の増加の問題に対処するために、高いデータスループットを達成しながら、複数の局がチャネルリソースを共有することによって単一のアクセスポイントと通信することを可能にするために、様々な方式が開発されている。通信リソースが限られている中、アクセスポイントと複数の端末との間のトラフィック通過の量を低減することが望ましい。たとえば、複数の端末がアクセスポイントにバッファ済みユニット要求(buffered unit request)を送るとき、バッファ済みユニット要求のアップリンクを完了させるためのトラフィックの量を最小化することが望ましい。したがって、複数の端末からのバッファ済みユニット要求のアップリンクのための改善されたプロトコルの必要性が存在する。
【課題を解決するための手段】
【０００５】
添付の特許請求の範囲内のシステム、方法、およびデバイスの様々な実装形態は、各々がいくつかの態様を有し、そのうちのいずれも、本明細書で説明する望ましい属性を単独で担うものではない。本明細書においては、添付の特許請求の範囲を限定することなく、いくつかの顕著な特徴について説明する。
【０００６】
ワイヤレス通信のための装置が提供される。本装置は、特定の時間に同時に自動省電力配信フレーム(automatic power save delivery frame)を送信するよう2つ以上のデバイスに求める要求メッセージを生成するように構成された処理システムを含む。本装置はまた、2つ以上のデバイスに送信するために要求メッセージを出力するための第1のインターフェースを含む。
【０００７】
ワイヤレス通信のための方法が提供される。本方法は、特定の時間に同時に自動省電力配信フレームを送信するよう2つ以上のデバイスに求める要求メッセージを生成するステップを含む。本方法はまた、2つ以上のデバイスに要求メッセージを送信するステップを含む。
【０００８】
ワイヤレス通信のための装置が提供される。本装置は、特定の時間に同時に自動省電力配信フレームを送信するよう2つ以上のデバイスに求める要求メッセージを生成するための手段を含む。本装置はまた、2つ以上のデバイスに要求メッセージを送信するための手段を含む。
【０００９】
コンピュータプログラム製品が提供される。本コンピュータプログラム製品は、実行されたとき、装置にワイヤレス通信の方法を実行させる命令を含む、符号化されたコンピュータ可読媒体を含む。本方法は、特定の時間に同時に自動省電力配信フレームを送信するよう2つ以上のデバイスに求める要求メッセージを生成するステップを含む。本方法はまた、2つ以上のデバイスに要求メッセージを送信するステップを含む。
【００１０】
ワイヤレス通信のためのワイヤレスノードが提供される。本ワイヤレスノードは、少なくとも1つのアンテナを含む。本ワイヤレスノードはまた、特定の時間に同時に自動省電力配信フレームを送信するよう2つ以上のデバイスに求める要求メッセージを生成するように構成された処理システムを含む。本ワイヤレスノードはまた、少なくとも1つのアンテナを介して2つ以上のデバイスに要求メッセージを送信するように構成された送信機回路を含む。
【図面の簡単な説明】
【００１１】
【図１】アクセスポイントおよび局を有する多元接続多入力多出力(MIMO)システムを示す図である。
【図２】MIMOシステムにおけるアクセスポイントおよび2つの局のブロック図である。
【図３】ワイヤレス通信システム内で用いられ得るワイヤレスデバイスにおいて利用され得る様々な構成要素を示す図である。
【図４】アップリンク(UL)マルチユーザ(MU)多入力多出力(MIMO)/UL周波数分割多元接続(FDMA)が実施されないバッファ済みユニット要求手順の時間シーケンス図である。
【図５】UL MU MIMO/UL FDMAを利用するバッファ済みユニット要求手順の時間シーケンス図である。
【図６Ａ】UL MU MIMO/UL FDMAを利用するバッファ済みユニット要求手順の時間シーケンス図である。
【図６Ｂ】UL MU MIMO/UL FDMAを利用するバッファ済みユニット要求手順の時間シーケンス図である。
【図７】UL MU MIMO/UL FDMAおよびスケジューリングを利用するバッファ済みユニット要求手順の時間シーケンス図である。
【図８】UL MU MIMO/UL FDMAおよびスケジューリングを利用するバッファ済みユニット要求手順の時間シーケンス図である。
【図９】UL MU MIMO/UL FDMAおよび暗黙的スケジューリングを利用するバッファ済みユニット要求手順の時間シーケンス図である。
【図１０】UL MU MIMO/UL FDMA、ダウンリンクトリガ、および暗黙的スケジューリングを利用するバッファ済みユニット要求手順の時間シーケンス図である。
【図１１】UL MU MIMO/UL FDMAおよび暗黙的スケジューリングを利用するバッファ済みユニット要求手順の時間シーケンス図である。
【図１２】UL MU MIMO/UL FDMAおよび暗黙的スケジューリングを利用するバッファ済みユニット要求手順の時間シーケンス図である。
【図１３】UL MU MIMO/UL FDMAを利用し、省電力ポーリングフレームと自動省電力配信フレームの両方を含むバッファ済みユニット要求手順の時間シーケンス図である。
【図１４】UL MU MIMO/UL FDMAを利用する自動省電力配信手順の時間シーケンス図である。
【図１５】UL MU MIMO/UL FDMAを利用し、オフセット送信可フレーム(CTX)を含む自動省電力配信手順の時間シーケンス図である。
【図１６】自動省電力配信フレームの送信のために競合を利用する自動省電力配信手順の時間シーケンス図である。
【図１７】UL MU MIMO/UL FDMAを利用するワイヤレス通信を実現するための例示的な方法のフローチャートである。
【発明を実施するための形態】
【００１２】
新規のシステム、装置、および方法の様々な態様について、添付の図面を参照しながら以下でさらに十分に説明する。教示の開示は、しかしながら、多くの異なる形態で具現化され得、本開示全体にわたって提示される特定の構造または機能のいずれかに限定されるものとして解釈されるべきではない。そうではなく、これらの態様は、本開示が徹底し、完全なものになり、本開示の範囲を当業者に十分に伝えるようにするために提供されるものである。本明細書の教示に基づいて、本開示の範囲が、本発明の何らかの他の態様とは無関係に実装されるにせよ、本発明の何らかの他の態様と組み合わせて実装されるにせよ、本明細書で開示する新規のシステム、装置、および方法のいかなる態様をも包含するものであることを、当業者は諒解されたい。たとえば、本明細書に記載する任意の数の態様を使用して、装置が実装されてもよく、または方法が実施されてもよい。加えて、本発明の範囲は、本明細書に記載する本発明の様々な態様に加えて、またはそれ以外の、他の構造、機能、または構造および機能を使用して実施されるそのような装置または方法を包含するものである。本明細書で開示する任意の態様は、請求項の1つまたは複数の要素によって具現化され得ることを理解されたい。
【００１３】
特定の態様について本明細書で説明するが、これらの態様の多数の変形形態および置換形態が、本開示の範囲内に入る。好ましい態様のいくつかの利益および利点について述べるが、本開示の範囲は、特定の利益、用途、または目的に限定されるものではない。そうではなく、本開示の態様は、異なるワイヤレス技法、システム構成、ネットワーク、および送信プロトコルに広く適用可能であるものであり、それらのうちのいくつかが例として図および好ましい態様の以下の説明において示される。詳細な説明および図面は、限定的ではなく本開示の例示にすぎず、本開示の範囲は、添付の特許請求の範囲およびその均等物によって規定される。
【００１４】
ワイヤレスネットワーク技術は、様々なタイプのワイヤレスローカルエリアネットワーク(WLAN)を含む場合がある。WLANは、広く使用されているネットワーキングプロトコルを用いて、近くのデバイスを一緒に相互接続するために使用される場合がある。本明細書で説明する様々な態様は、Wi-Fiまたはより一般的には、ワイヤレスプロトコルのIEEE 802.11ファミリーの任意の部分など、任意の通信規格に適用することができる。
【００１５】
いくつかの態様では、ワイヤレス信号は、直交周波数分割多重化(OFDM)、直接シーケンススペクトラム拡散(DSSS)通信、OFDMとDSSS通信の組合せ、または他の方式を使用して、高効率802.11プロトコルに従って送信され得る。高効率802.11プロトコルの実装形態は、インターネットアクセス、センサー、メータリング、スマートグリッドネットワーク、または他のワイヤレスアプリケーションに使用され得る。有利には、この特定のワイヤレスプロトコルを実施する特定のデバイスの態様は、他のワイヤレスプロトコルを実施するデバイスより消費電力を少なくすることができ、短距離にわたってワイヤレス信号を送信するために使用でき、かつ/または人のような物体によって妨害される可能性が低い信号を送信することができる。
【００１６】
いくつかの実装形態では、WLANは、ワイヤレスネットワークにアクセスする構成要素である様々なデバイスを含む。たとえば、2つのタイプのデバイス、すなわち、アクセスポイント(「AP」)およびクライアント(局または「STA」とも呼ばれる)があり得る。一般に、APは、WLAN用のハブまたは基地局の働きをし、STAは、WLANのユーザの働きをする。たとえば、STAは、ラップトップコンピュータ、携帯情報端末(PDA)、携帯電話などである場合がある。一例において、STAは、インターネットまたは他のワイドエリアネットワークへの一般的な接続性を得るために、Wi-Fi(たとえば、802.11ahのようなIEEE802.11プロトコル)準拠のワイヤレスリンクを介してAPに接続する。いくつかの実装形態では、STAは、APとして使用される場合もある。
【００１７】
本明細書で説明する技法は、直交多重化方式に基づく通信システムを含む様々なブロードバンドワイヤレス通信システムに使用され得る。そのような通信システムの例には、空間分割多元接続(SDMA)、時分割多元接続(TDMA)、直交周波数分割多元接続(OFDMA)システム、シングルキャリア周波数分割多元接続(SC-FDMA)システムなどがある。SDMAシステムは、十分に異なる方向を利用して、複数の局に属するデータを同時に送信することができる。TDMAシステムは、複数の局が、送信信号を異なるタイムスロットに分割することによって、同じ周波数チャネルを共有することを可能にし、各タイムスロットが異なる局に割り当てられ得る。TDMAシステムは、GSM(登録商標)または当技術分野で知られている何らかの他の規格を実装することができる。OFDMAシステムは、システム帯域幅全体を複数の直交するサブキャリアに分割する変調技法である、直交周波数分割多重化(OFDM)を利用する。これらのサブキャリアは、トーン、ビンなどと呼ばれることもある。OFDMでは、各サブキャリアは、データにより独立して変調され得る。OFDMシステムは、IEEE802.11または当技術分野で知られている何らかの他の規格を実装することができる。SC-FDMAシステムは、システム帯域幅にわたって分散されたサブキャリア上で送信するためのインターリーブされたFDMA(IFDMA)、隣接するサブキャリアのブロック上で送信するための局所FDMA(LFDMA)、または隣接するサブキャリアの複数のブロック上で送信するための拡張FDMA(EFDMA)を利用することができる。一般に、変調シンボルは、OFDMでは周波数領域において、SC-FDMAでは時間領域において送られる。SC-FDMAシステムは、3GPP-LTE(第3世代パートナーシッププロジェクトロングタームエボリューション)または他の規格を実装することができる。
【００１８】
本明細書の教示は、様々な有線装置またはワイヤレス装置(たとえば、ノード)に組み込まれてよい(たとえば、その装置内に実装されるか、またはその装置によって実行されてよい)。いくつかの態様では、本明細書の教示に従って実装されるワイヤレスノードは、アクセスポイントまたはアクセス端末を含むことができる。
【００１９】
APは、ノードB、無線ネットワークコントローラ(「RNC」)、eノードB、基地局コントローラ(「BSC」)、トランシーバ基地局(「BTS」)、基地局(「BS」)、トランシーバ機能(「TF」)、無線ルータ、無線トランシーバ、基本サービスセット(「BSS」)、拡張サービスセット(「ESS」)、無線基地局(「RBS」)、または何らかの他の用語を含み得るか、それらのいずれかとして実装され得るか、あるいはそれらのいずれかとして知られ得る。
【００２０】
また、STAは、ユーザ端末、アクセス端末(「AT」)、加入者局、加入者ユニット、移動局、遠隔局、遠隔端末、ユーザエージェント、ユーザデバイス、ユーザ機器、または何らかの他の用語を含み得るか、それらのいずれかとして実装され得るか、あるいはそれらのいずれかとして知られ得る。いくつかの実装形態では、アクセス端末は、セルラー電話、コードレス電話、セッション開始プロトコル(「SIP」)電話、ワイヤレスローカルループ(「WLL」)局、携帯情報端末(「PDA」)、ワイヤレス接続機能を有するハンドヘルドデバイス、またはワイヤレスモデムに接続された何らかの他の適切な処理デバイスを含み得る。したがって、本明細書で教示する1つまたは複数の態様は、電話(たとえば、セルラーフォンもしくはスマートフォン)、コンピュータ(たとえば、ラップトップ)、ポータブル通信デバイス、ヘッドセット、ポータブルコンピューティングデバイス(たとえば、携帯情報端末)、エンターテインメントデバイス(たとえば、音楽デバイスもしくはビデオデバイス、または衛星ラジオ)、ゲームデバイスもしくはゲームシステム、全地球測位システムデバイス、またはワイヤレス媒体を介して通信するように構成された任意の他の適切なデバイスに組み込まれる場合がある。
【００２１】
図1は、アクセスポイントおよび局を有する多元接続多入力多出力(MIMO)を用いるシステム100を示す図である。簡単のために、図1にはただ1つのアクセスポイント110が示されている。アクセスポイント110は、一般に、局120と通信する固定局であり、基地局と呼ばれること、または何らかの他の用語で呼ばれることもある。局120またはSTA120は、固定式でも移動式でもよく、移動局もしくはワイヤレスデバイスと呼ばれること、または何らかの他の用語で呼ばれることもある。アクセスポイント110は、ダウンリンクおよびアップリンク上で所与の瞬間において1つまたは複数の局120と通信し得る。ダウンリンク(たとえば、順方向リンク)はアクセスポイント110から局120への通信リンクであり、アップリンク(たとえば、逆方向リンク)は局120からアクセスポイント110への通信リンクである。局120は、別の局120とピアツーピアで通信する場合もある。システムコントローラ130は、アクセスポイント110および他のアクセスポイント(図示せず)に結合し、それらのアクセスポイントの調整および制御を行う。
【００２２】
以下の開示の部分は、空間分割多元接続(SDMA)を介して通信することが可能な局120について説明するが、いくつかの態様では、局120は、SDMAをサポートしないいくつかの局120を含むこともある。したがって、そのような態様では、AP110は、SDMA局120と非SDMA局120の両方と通信するように構成され得る。この手法は、より新しいSDMA局が適宜導入されることを可能にしながら、SDMAをサポートしないより古いバージョンの局120(「レガシー」局)が企業に配備されたままであることを便宜上可能にして、それらの有効寿命を延長し得る。
【００２３】
システム100は、ダウンリンクおよびアップリンク上でのデータ送信のために複数の送信アンテナおよび複数の受信アンテナを用いる。アクセスポイント110は、Nap個のアンテナを備え、ダウンリンク送信では多入力(MI)を表し、アップリンク送信では多出力(MO)を表す。K個の選択された局120のセットは、ダウンリンク送信では多出力を集合的に表し、アップリンク送信では多入力を集合的に表す。純粋なSDMAの場合、K個の局120のためのデータシンボルストリームが、何らかの手段によって、コード、周波数、または時間で多重化されない場合、Nap≦K≦1であることが望まれる。TDMA技法、CDMAを用いた様々なコードチャネル、OFDMを用いたサブバンドの独立セットなどを使用してデータシンボルストリームを多重化することができる場合、KはNapよりも大きくすることができる。選択された各局120は、ユーザ固有のデータをアクセスポイント110に送信すること、および/またはアクセスポイント110からユーザ固有のデータを受信することができる。一般に、各選択された局120は、1つまたは複数のアンテナ(たとえば、Nut≧1)を備え得る。K個の選択された局120は、同じ数のアンテナを有することができ、または1つもしくは複数の局120は、異なる数のアンテナを有し得る。
【００２４】
システム100は、時分割複信(TDD)システムまたは周波数分割複信(FDD)システムであってもよい。TDDシステムの場合、ダウンリンクとアップリンクは、同じ周波数帯域を共有する。FDDシステムの場合、ダウンリンクとアップリンクは、異なる周波数帯域を使用する。システム100は、送信のために単一のキャリアまたは複数のキャリアを利用する場合もある。各局120は、(たとえば、コストを抑えるために)単一のアンテナを備えるか、または(たとえば、追加コストをサポートすることができる場合)複数のアンテナを備える場合がある。システム100はまた、送信/受信を異なるタイムスロットに分割することによって、局120が同じ周波数チャネルを共有する場合、TDMAシステムであってもよく、その場合に各タイムスロットは、異なる局120に割り当てられ得る。
【００２５】
図2は、システム100におけるアクセスポイント110ならびに2つの局120mおよび120xのブロック図である。アクセスポイント110は、Nt個のアンテナ224a〜224apを備える。局120mは、Nut,m個のアンテナ252ma〜252muを備え、局120xは、Nut,x個のアンテナ252xa〜252xuを備える。アクセスポイント110は、ダウンリンクでは送信エンティティであり、アップリンクでは受信エンティティである。局120は、アップリンクでは送信エンティティであり、ダウンリンクでは受信エンティティである。本明細書で使用される「送信エンティティ」は、ワイヤレスチャネルを介してデータを送信することが可能な独立動作型の装置またはデバイスであり、「受信エンティティ」は、ワイヤレスチャネルを介してデータを受信することが可能な独立動作型の装置またはデバイスである。以下の説明では、下付き文字「dn」はダウンリンクを示し、下付き文字「up」はアップリンクを示し、Nup個の局120がアップリンク上での同時送信のために選択され、Ndn個の局120がダウンリンク上での同時送信のために選択される。NupはNdnに等しい場合も等しくない場合もあり、NupおよびNdnは、静的な値であり得るか、または各スケジューリング間隔の間に変化することがある。アクセスポイント110および/または局120において、ビームステアリングまたは何らかの他の空間処理技法が使用され得る。
【００２６】
アップリンク上では、アップリンク送信のために選択された各局120において、TXデータプロセッサ288が、データソース286からトラフィックデータを受信し、コントローラ280から制御データを受信する。TXデータプロセッサ288は、局120のために選択されたレートに関連するコーディングおよび変調方式に基づいて、局120のためのトラフィックデータを処理(たとえば、符号化、インターリーブ、および変調)し、データシンボルストリームを提供する。TX空間プロセッサ290は、データシンボルストリームに対して空間処理を実行し、Nut,m個の送信シンボルストリームをNut,m個のアンテナに与える。各複合受信機/送信機ユニット(RCVR/TMTR)254は、アップリンク信号を生成するために、それぞれの送信シンボルストリームを受信し、処理(たとえば、アナログ変換、増幅、フィルタリング、および周波数アップコンバート)する。RCVR/TMTR254のNut,m個の送信機ユニットは、たとえば、アクセスポイント110に送信するために、Nut,m個のアンテナ252からの送信のためにNut,m個のアップリンク信号を与える。
【００２７】
アップリンク上での同時送信のために、Nup個の局120がスケジュールされ得る。これらの局120の各々は、それのそれぞれのデータシンボルストリームに対して空間処理を実行し、アップリンク上で送信シンボルストリームのそのそれぞれのセットをアクセスポイント110に送信することができる。
【００２８】
アクセスポイント110において、Nup個のアンテナ224a〜224apは、アップリンク上で送信するすべてのNup個の局120からのアップリンク信号を受信する。各アンテナ224は、受信された信号を複合受信機/送信機(TMTR/RCVR)222のそれぞれの受信機ユニットに提供する。TMTR/RCVR222の各受信機ユニットは、RCVR/TMTR254の送信機ユニットによって実行された処理を相補する処理を実行し、受信シンボルストリームを与える。RX(受信機)空間プロセッサ240は、TMTR/RCVR222のNup個の受信機ユニットからのNup個の受信シンボルストリームに対して受信機空間処理を実行し、Nup個の復元されたアップリンクデータシンボルストリームを与える。受信機空間処理は、チャネル相関行列反転(CCMI)、最小平均2乗誤差(MMSE)、ソフト干渉消去(SIC)、または何らかの他の技法に従って実行され得る。復元された各アップリンクデータシンボルストリームは、それぞれの局によって送信されたデータシンボルストリームの推定値である。RXデータプロセッサ242は、復元された各アップリンクデータシンボルストリームを、そのストリームのために使用されたレートに従って処理(たとえば、復調、デインターリーブ、および復号)して、復号データを得る。局120ごとの復号データは、記憶のためにデータシンク244に与えられること、および/またはさらに処理するためにコントローラ230に与えられることがある。
【００２９】
ダウンリンク上で、アクセスポイント110において、TXデータプロセッサ210が、ダウンリンク送信のためにスケジュールされたNdn個の局のためのデータソース208からのトラフィックデータと、コントローラ230からの制御データと、場合によってはスケジューラ234からの他のデータとを受信する。様々なタイプのデータは、異なるトランスポートチャネル上で送られる場合がある。TXデータプロセッサ210は、局120ごとのトラフィックデータを、その局120のために選択されたレートに基づいて処理(たとえば、符号化、インターリーブ、変調)する。TXデータプロセッサ210は、Ndn個のダウンリンクデータシンボルストリームをNdn個の局に与える。TX空間プロセッサ220は、Ndn個のダウンリンクデータシンボルストリームに対して空間処理(プリコーディングまたはビームフォーミングなど)を実行し、Nup個の送信シンボルストリームをNup個のアンテナに与える。TMTR/RCVR222の各送信機ユニットは、ダウンリンク信号を生成するために、それぞれの送信シンボルストリームを受信し、処理する。TMTR/RCVR222のNup個の送信機ユニットは、たとえば、局120に送信するために、Nup個のアンテナ224からの送信のためにNup個のダウンリンク信号を与え得る。
【００３０】
各局120において、Nut,m個のアンテナ252は、アクセスポイント110からNup個のダウンリンク信号を受信する。RCVR/TMTR254の各受信機ユニットは、関連するアンテナ252からの受信信号を処理し、受信シンボルストリームを与える。RX空間プロセッサ260は、RCVR/TMTR254のNut,m個の受信機ユニットからのNut,m個の受信シンボルストリームに対して受信機空間処理を実行し、復元されたダウンリンクデータシンボルストリームを局120に与える。受信機空間処理は、CCMI、MMSE、または何らかの他の技法に従って実行され得る。RXデータプロセッサ270は、局120のための復号データを取得するために、復元されたダウンリンクデータシンボルストリームを処理(たとえば、復調、デインターリーブ、および復号)する。
【００３１】
各局120において、チャネル推定器278は、ダウンリンクチャネル応答を推定し、チャネル利得推定値、SNR推定値、ノイズ分散などを含むことができるダウンリンクチャネル推定値を与える。同様に、チャネル推定器228は、アップリンクチャネル応答を推定し、アップリンクチャネル推定値を与える。各局用のコントローラ280は、典型的には、局についての空間フィルタ行列を、その局についてのダウンリンクチャネル応答行列Hdn,mに基づいて導出する。コントローラ230は、アクセスポイントについての空間フィルタ行列を、実効アップリンクチャネル応答行列Hup,effに基づいて導出する。各局用のコントローラ280は、フィードバック情報(たとえば、ダウンリンクおよび/またはアップリンク固有ベクトル、固有値、SNR推定値など)をアクセスポイント110に送り得る。コントローラ230および280は、それぞれ、アクセスポイント110および局120における様々な処理ユニットの動作も制御し得る。
【００３２】
図3は、システム100内で用いられ得るワイヤレスデバイス302において利用され得る様々な構成要素を示す。ワイヤレスデバイス302は、本明細書で説明する様々な方法を実施するように構成され得るデバイスの一例である。ワイヤレスデバイス302は、アクセスポイント110または局120を実装し得る。
【００３３】
ワイヤレスデバイス302は、ワイヤレスデバイス302の動作を制御するプロセッサ304を含み得る。プロセッサ304は、中央処理装置(CPU)と呼ばれることもある。ワイヤレスデバイス302は、メモリ306も含み得る。メモリ306は、読取り専用メモリ(ROM)とランダムアクセスメモリ(RAM)の両方を含むことができ、命令およびデータをプロセッサ304に与える。メモリ306の一部分はまた、不揮発性ランダムアクセスメモリ(NVRAM)を含んでもよい。プロセッサ304は、メモリ306内に記憶されたプログラム命令に基づいて論理演算および算術演算を実行し得る。メモリ306中の命令は、本明細書で説明する方法を実施するように実行可能であり得る。
【００３４】
プロセッサ304は、1つまたは複数のプロセッサを用いて実装される処理システムを含み得るか、またはその構成要素であり得る。1つまたは複数のプロセッサは、汎用マイクロプロセッサ、マイクロコントローラ、デジタル信号プロセッサ(DSP)、フィールドプログラマブルゲートアレイ(FPGA)、プログラマブル論理デバイス(PLD)、コントローラ、状態機械、ゲート論理、個別のハードウェア構成要素、専用のハードウェア有限状態機械、または情報の計算もしくは他の操作を実行することができる任意の他の適切なエンティティの任意の組合せを用いて実装され得る。
【００３５】
処理システムはまた、ソフトウェアを記憶するための機械可読媒体を含むことができる。ソフトウェアは、ソフトウェア、ファームウェア、ミドルウェア、マイクロコード、ハードウェア記述言語、またはその他と称されようと、任意のタイプの命令を意味するものと広義に解釈されるべきである。命令は、(たとえば、ソースコードフォーマット、バイナリコードフォーマット、実行可能コードフォーマット、または任意の他の適切なコードのフォーマットにおける)コードを含んでもよい。命令は、1つまたは複数のプロセッサによって実行されたときに、本明細書で説明する様々な機能を処理システムに実行させる。いくつかの実装形態では、要求メッセージを生成するための手段はプロセッサ304を含み得る。いくつかの実装形態では、データメッセージを生成するための手段はプロセッサ304を含み得る。
【００３６】
ワイヤレスデバイス302は、ワイヤレスデバイス302と遠隔地との間のデータの送信および受信を可能にする送信機回路310および受信機回路312を含み得るハウジング308を含む場合もある。送信機回路310および受信機回路312は、組み合わされてトランシーバ314になることもある。単一または複数のトランシーバアンテナ316は、ハウジング308に取り付けられ、トランシーバ314に電気的に結合されてよい。ワイヤレスデバイス302は、複数の送信機、複数の受信機、および複数のトランシーバを含む場合もある(図示せず)。いくつかの実装形態では、要求メッセージを送信するための手段は送信機回路310を含み得る。いくつかの実装形態では、データメッセージを送信するための手段は送信機回路310を含み得る。いくつかの実装形態では、受信するための手段は受信機回路312を含み得る。いくつかの実装形態では、自動省電力配信(APSD)フレームの少なくとも一部分を受信するための手段は受信機回路312を含み得る。
【００３７】
ワイヤレスデバイス302は、トランシーバ314によって受信された信号のレベルを検出し、定量化するために使用され得る信号検出器318を含むこともできる。信号検出器318は、総エネルギー、シンボルごとのサブキャリア当たりのエネルギー、電力スペクトル密度、および他の信号などの信号を検出することができる。ワイヤレスデバイス302は、信号を処理する際に使用するためのデジタル信号プロセッサ(DSP)320を含むこともできる。
【００３８】
ワイヤレスデバイス302の様々な構成要素は、バスシステム322によって互いに結合される場合があり、バスシステム322は、データバスに加えて、電力バス、制御信号バス、およびステータス信号バスを含む場合がある。
【００３９】
本開示のいくつかの態様は、複数のSTA120からAP110にアップリンク(UL)バッファ済みユニット(BU)要求を同時に送信することをサポートする。いくつかの実施形態では、UL BU要求は、マルチユーザMIMO(MU MIMO)システムにおいて送信され得る(たとえば、マルチユーザMIMO送信)。代替的に、UL BU要求は、マルチユーザFDMA(MU FDMA)または同様のFDMAシステムにおいて送信され得る(たとえば、マルチユーザFDMA送信)。具体的には、図4〜図16は、UL FDMA送信にも同様に当てはまるUL MU MIMO送信を示す。これらの実施形態では、UL MU MIMO送信またはUL FDMA送信は、複数のSTA120からAP110に同時に送られてよく、ワイヤレス通信において効率性をもたらし得る。図4〜図16は、同時に始まり同時に終了するBU要求送信を示すが、同時送信は、あるワイヤレスデバイスからの送信の少なくとも一部分が別のワイヤレスデバイスからの送信の少なくとも一部分と重複する時間の間に送信される任意の送信を表す。たとえば、第1および第2の送信は互いに同時的であり得、第1の送信が、第1の時間に始まり、第1の時間よりも遅い第2の時間に始まる第2の送信の少なくとも一部分と時間的に重複する。図4〜図16は、AP110と複数のSTA120との間のデータ転送を示す例示的な時間シーケンス図である。図4〜図16では、水平矢印に沿った軸は時間を表し、垂直矢印に沿った軸は、MU MIMO/FDMA構成における複数のチャネル(たとえば、帯域幅もしくはサブバンド)またはストリームを表す。囲みは、ワイヤレスデバイス(たとえば、APまたはSTA)によって送られるデータフレームを表し、時間軸に沿った破線は、時間間隔、持続時間、またはスロットを表す。
【００４０】
STA120が省電力モードを有効化している(たとえば、STA120が「スリープしている」)とき、それのアンテナ252またはその一部分は、電力消費を低減するために無効化され得る。結果として、STA120は、パケットを受信することが可能ではないことがある。一態様では、AP110は、スリープ中の各STA120に向けられたパケットをバッファする。AP110からの各ビーコンフレームには、トラフィック指示マップ(TIM)フィールドが含まれる。TIMフィールドは、スリープ中のSTA120に向けられたパケットがAP110においてバッファされていることを示すために使用されるビットマップを含むことができる。いくつかの実装形態では、ビーコンフレームは、AP110がSTA120にCTXフレームを送る時間を含む。STA120は、TIMとともにAP110からビーコンフレームを受信するために、一定の間隔でウェイクアップし得る。STA120は、TIMがSTA120のアソシエーションID(AID)を示すと判断し得、STA120は、STA120に(たとえば、STA120がスリープしていた間にAP110によって記憶されたデータを含む)バッファ済みフレームを送るようAP110に要求するために、AP110にBU要求フレームを送り得る。BU要求フレームは、要求側STA120にバッファ済みユニット(たとえば、バッファ済みフレーム)を送信するようAP110をトリガするように構成された任意のフレームであり得る。たとえば、BU要求は、省電力ポール(PSポール)または自動省電力配信(APSD)フレームを含み得る。省電力ポール(PSポール)は、フレーム制御フィールド内に「1」に設定された電力管理ビットを有するヌルデータフレームを含むことができる。自動省電力配信(APSD)フレームは、STA120がアウェイクしており、AP110においてバッファされたデータを受信する準備ができていることを示すアクセスカテゴリーフィールドを有するデータフレームを含むことができる。BU要求フレームは、AP110にバッファ済みユニットを要求するように構成された任意のフレームを含み得る。
【００４１】
上記で説明したように、TIMは、どのSTA120がAP110においてバッファされたフレームを有するかを示すことができる。AP110は、STA120がAP110に関連付けられるとき、STA120にAIDを割り当てることができる。AP110は、各STA120に一意のAIDを割り当て得る。TIMにおける各ビットは、AP110が配信する準備ができている、特定のSTA120のためにバッファされたトラフィックに対応し得る。たとえば、TIMにおけるビット番号Nは、割り当てられたAIDがNであるSTA120または割り当てられたAIDがN番目のビットに対応するSTA120に送るためにバッファされたトラフィックをAP110が有するかどうかを示し得る。したがって、TIMは、AP110によって各STA120に割り当てられたAIDに基づく局の順序を含み得る。たとえば、より低いAIDを割り当てられたSTA120は、TIMにおける局の順序において、より高いAID値を割り当てられたSTA120の前に来ることができる。いくつかの態様では、あるSTA120がAP110との関連付けを解除したとき、AIDは後に、関連付けにおいて別のSTA120のために再使用され得る。
【００４２】
BU要求を受信したことに応答して、AP110は、STA120に第1のバッファ済みフレームを送ることができる。AP110はまた、STA120のためにバッファされたさらなるデータをAP110が有するかどうかを示し得る。いくつかの態様では、STA120がAP110からさらなるデータの指示を受信した場合、STA120は、さらなるデータがあることをAP110が示さなくなるまで、AP110にBU要求を送り続けることができる。さらなるデータがあることをAP110が示さなくなった時点では、STA120は省電力モードに戻ることができる。STA120に向けられたバッファ済みパケットをAP110が処分する可能性もある。この場合、TIMは局のAIDを示さなくなり、STA120は省電力モードに戻ることができる。
【００４３】
ワイヤレスデバイス302の様々な構成要素は、個別に、または1つもしくは複数の他の構成要素と組み合わせて、通信インターフェースを提供することができる。第1のインターフェースおよび/または第2のインターフェースなどのデバイス302の1つまたは複数の通信インターフェースは、プロセッサ304、送信機回路310、受信機回路312、またはDSP320などのワイヤレスデバイス302の他の構成要素によって、要求または返信メッセージなどのメッセージを受信または送信するように構成され得る。たとえば、プロセッサ304は、ワイヤレスデバイス302の1つもしくは複数の他の構成要素に電気信号を提供するための1つもしくは複数の信号線に動作可能に結合されることによるインターフェースを提供することができ、または信号線は、ワイヤレスデバイス302の外部の構成要素に電気信号を提供するように構成され得る。いくつかの態様では、送信機回路310は、アンテナ316を通じて無線信号を送信することによるインターフェースを含み得る。同様に、受信機回路312は、アンテナ316から電気信号を受信することによるインターフェースを通じてデータを受信することができる。
【００４４】
図4は、UL MU MIMOまたはUL FDMAのために構成されていないAP110と複数のSTA120との間のバッファ済みユニット要求手順の時間シーケンス図400である。この手順では、AP110は、STA120のすべてに、TIMフィールドを含むビーコンフレーム401を送る。TIMフィールドは、第1のSTA120aと第2のSTA120bとに送るためにバッファされたトラフィックをAP110が有することを示し得る。第1のSTA120aは、AP110からビーコンフレーム401を受信し、応答してAP110にBU要求フレーム402を送ることができる。AP110は、肯定応答(「ACK」)フレーム403を送ることによって、第1のSTA120aからの受信されたBU要求に応答し得る。第2のSTA120bも、AP110からビーコンフレーム401を受信することができ、応答してAP110にBU要求404を送ることができる。第1および第2のSTA120aおよび120bからBU要求402および404受信すると、APは、第1および第2のSTA120aおよび120bがアウェイクしていると判断し得る。AP110は、データフレーム405において第2のSTA120bに、第2のSTA120bのためにバッファされたデータを送ることができ、その後、データフレーム406において第1のSTA120aに、第1のSTA120aのためにバッファされたデータを送ることができる。このプロセスの結果、各STA120がそれのBU要求を個別に送ることで、さらなる通信時間がかかり、そのため全体のネットワーク効率が低下する。第1および第2のSTA120がそれらのBU要求を同時に送るプロセスであれば、全体の送信時間が減り、ネットワーク効率が改善される。
【００４５】
図5は、ネットワーク効率を改善するためにUL MU MIMOまたはUL FDMAを利用するバッファ済みユニット要求手順の時間シーケンス図500である。図5のバッファ済みユニット要求手順は、上記で説明したシステム100において実行され得る。この手順では、AP110は、TIMフィールドおよび送信可フレーム(CTX)を含むビーコン501を送信し得る。TIMは、たとえば、第1のSTA120a、第2のSTA120b、第3のSTA120c、および第4のSTA120dに送るためのバッファ済みデータをAP110が有することを示し得る。ビーコン501は、AP110において保留中のDL(ダウンリンク)データを有するものとしてTIMフィールドにおいて示されるSTA120のためのUL MU MIMOまたはUL FDMAパラメータを提供する。この手順では、CTX要素は、第1のSTA120aおよび第2のSTA120bが送信することが可であることを示し得る。AP110からCTXを受信したことに応答して、第1のSTA120aおよび第2のSTA120bは、ビーコン501のCTXフィールドにおいて提供されたUL MU MIMO/UL FDMAパラメータを使用して、CTXに従って、異なるストリームまたはチャネル上で、同時にそれらのBU要求502aおよび502bを送信することができる。たとえば、第1の時間期間と第2の時間期間とが重複する形で、第1のSTA120aが第1の時間期間の間に送信し、第2のSTA120bが第2の時間期間の間に送信する。この手順では、CTX要素を含むビーコン501は、第1のSTA120aおよび第2のSTA120bがそれらのBU要求502aおよび502bを送るためのトリガとして働く。AP110は、DL MU MUMO、DL FMDAにおいて、またはマルチキャストACKフレームとして、第1および第2のSTA120aおよび120bにACKフレーム503を送ることによって、BU要求502aおよび502bに応答し得る。
【００４６】
上記で説明したように、AP110はまた、第3のSTA120cおよび第4のSTA120dに送るためにバッファされたデータを有し得る。AP110は、第3および第4のSTA120からのUL MU MIMOまたはUL FMDA BU要求のセットをトリガするためにACKフレーム503を使用し得る。たとえば、AP110は、ACKフレーム503にCTX要素を含めることができる。ACKフレーム503におけるCTX要素は、第3および第4のSTA120cおよび120dが送信することを可とし得る。第3および第4のSTA120cおよび120dのためのUL MU MIMOまたはUL FDMAパラメータは、上記で説明したようにビーコン501において以前定義されていることがある。代替的に、CTXフィールドを含むACKフレーム503は、MU MIMOまたはFDMA送信のための必要なパラメータをさらに含み得る。CTXフィールドを含むACK503を受信したことに応答して、第3および第4のSTA120cおよび120dは、CTXに従ってUL MU MIMO/UL FDMAを使用してAP110にそれらのBU要求504aおよび504bを同時に送信することができる。第1、第2、第3、および第4のSTA120a〜dからBU要求502a、502b、504a、および504bを受信したことに応答して、APは、STA120a〜dがアウェイクしていると判断することができ、AP110は複数のSTA120にDLデータを送ることができる。たとえば、AP110は、第1、第2、第3、および第4のSTA120a〜dからのBU要求502a、502b、504a、および504bの各々に、データフレーム505により直接応答し得る。AP110は、DLシングルユーザ(SU)送信またはDL MU送信のいずれかを使用して、各STA120a〜dにデータフレーム505を送ることができる。図5に示すように、AP110によって送られたビーコン501とDL ACK503の両方は、特定の局のためのUL MU MIMO/UL FDMA送信のためのトリガの働きをし得る。さらに、いくつかの実施形態では、AP110からの任意のDLパケットは、CTX要素を含めることによってUL MU MIMO/UL FDMA送信のためのトリガの働きをし得る。
【００４７】
図5に示すUL MU MIMO/UL FDMA構成は、図4の構成によって提供されていない利点を有する。図5に示すように、UL MU MIMOまたはUL FDMAを利用することによって、複数のSTA120が同時にBU要求を送信することができる。これは、STA120がそれらのBU要求を送るために必要な時間量を減らした。
【００４８】
図6Aは、ネットワーク効率を改善するためにUL MU MIMOまたはUL FDMAを利用するバッファ済みユニット要求手順の時間シーケンス図600である。図6Aのバッファ済みユニット要求手順は、上記で説明したMIMOシステム100において実行され得る。この手順では、AP110は、TIMを含むビーコンフレーム601を送り得る。TIMは、第1のSTA120a、第2のSTA120b、第3のSTA120c、第4のSTA120d、第5のSTA120m、および第6のSTA120xに送るためのバッファ済みデータをAP110が有することを示し得る。第1のSTA120aは、省電力モードにあることがあり、ビーコンフレーム601を受信しないことがある。第2のSTA120bは、AP110からビーコンフレーム601を受信することができ、AP110が第2のSTA120bのための保留中のデータを有するとTIMフィールドから判断し得る。第2のSTA120bは、AP110が第2のSTA120bのための保留中のデータを有するかどうかの判断に応答して、APにBU要求フレーム602を送ることができる。本明細書で説明するBU要求は、競合を使用することなくショートフレーム間スペース(SIFS)により送信され得る。この手順では、ビーコンフレーム601は、(たとえば、CTX要素において)UL MU MIMO/UL FDMAパラメータを提供しなくてよい。したがって、第2のSTA120bは、非多元接続フォーマットでBU要求フレーム602を送信する。AP110は、第2のSTA120bからBU要求フレーム602を受信することができ、CTX要素を含むACKフレーム603により応答することができる。BU要求に応答してAP110によって送られるACK(たとえば、ACKフレーム603)は、競合なしにSIFSにより送信され得る。ACKフレーム603におけるCTX要素は、第3のSTA120cおよび第4のSTA120dがそれらのBU要求を送信することを可とし得る。CTXを含むACKフレーム603は、第3および第4のSTA120cおよび120dからのUL MU MIMO/UL FDMA送信のためのトリガとして働く。ACKフレーム603はまた、UL MU MIMO/UL FDMAパラメータを含み得る。第3および第4のSTA120cおよび120dは、ACKフレーム603を受信することができ、応答して、CTXに従って、それぞれBU要求604aおよび604bを同時に送信することができる。AP110は、BU要求604aおよび604bを受信することができ、ACKフレーム605を送ることによって応答することができる。
【００４９】
上記で説明したように、AP110はまた、第5のSTA120mおよび第6のSTA120xのための保留中のデータを有し得る。AP110は、第5および第6のSTA120mおよび120xにCTXフレーム606を送信し得る。CTXフレーム606は、ビーコンフレームまたはACKフレームに含まれるのではなく、独立したフレームとして送られる。上記で説明したように、CTXは、AP110からの任意のDL送信において送られ得る。CTXフレーム606は、SIFSまたはバックオフ競合(backoff contention)のいずれかにより送られ得る。CTXフレーム606は、第5のSTA120mおよび第6のSTA120xがそれぞれBU要求607aおよび607bを同時に送信するためのトリガとして働き得る。AP110は、BU要求607aおよび607bを受信し得る。AP110は、STA120a〜d、120m、および120xのためのバッファ済みデータを含む少なくとも1つのデータフレーム608(またはメッセージ)を送ることによって、STA120a〜d、120m、および120xからのBU要求602、604a、604b、607a、および607bの全部または一部に応答することができる。AP110は、DLシングルユーザ(SU)送信またはDL MU送信のいずれかを使用して、各STA120にデータを送ることができる。
【００５０】
図6Bは、ネットワーク効率を改善するためにUL MU MIMOまたはUL FDMAを利用するバッファ済みユニット要求手順の時間シーケンス図610である。図6Bにおける手順は、図6Aに関して上記で説明した手順と同様である。図6Bに示す手順と図6Aに示す手順との間の1つの差は、図6Bでは、AP110がSTA120に、ビーコンフレーム601を送信した後にCTXフレーム612を送信し得ることである。いくつかの実装形態では、ビーコンフレーム601は、いつAP110がCTXフレーム612を送るかを示す情報要素(IE)を含む。AP110においてバッファ済みデータを有することをTIMによって示されたSTA120は、IEを読み取り、CTXフレーム612を受信するためにビーコンフレーム601において示された時間だけ待機する。CTXフレーム612は、UL MU MIMO/UL FDMAパラメータを提供することができ、STA120a〜c、120m、および120xがそれらのBU要求を送信することを可とし得る。したがって、CTXフレーム612は、STA120bからのBU要求フレーム602、STA120cからのBU要求604a、STA120dからのBU要求604b、STA120mからのBU要求607a、およびSTA120xからのBU要求607bの送信のためのトリガとして働く。AP110は、STA120にACK613を送信することによって、STA120からのBU要求に応答し得る。次いでAP110は、複数のSTA120にデータフレーム608を送信し得る。
【００５１】
図6Aおよび図6Bに関して上記で説明した手順では、AP110は、STA120からのさらなるUL MU MIMO BU要求をトリガするために、STA120に追加のCTXフレームを送信し得る。AP110は、CTXフレーム612と同じ送信機会の中で追加のCTXフレームを送信することがあり、またはAP110は、追加のCTXフレームを送信するために競合アクセスを実行することがある。STA120も、AP110の動作と衝突し得るそれらのBU要求(たとえば、AP110によって送信されるCTXは、STA120によって送信されるBU要求と衝突し得る)を送信するために競合アクセスを実行することがある。フレームが競合により送られたとき、衝突が発生することがある。対照的に、フレームがSIFSにより送られたとき、衝突が発生しないことがある。衝突確率を低下させ、ネットワーク効率を改善するために、STA120は、AP110と比較してワイヤレスネットワーク媒体にアクセスする際のより低い優先度を有し得る。たとえば、ワイヤレスネットワーク媒体は、AP110のみが媒体にアクセスすることができるように予約されることがあり、またはSTA120は、より低い優先度の競合パラメータ(たとえば、アービトレーションフレーム間スペース数(arbitration inter-frame spacing number)または最小競合ウィンドウパラメータ)を提供され得る。
【００５２】
図7は、ネットワーク効率を改善するためにUL MU MIMO/UL FDMAおよび制限付きアクセスウィンドウ(RAW: restricted access window)情報を利用するバッファ済みユニット要求手順の時間シーケンス図700である。図7のバッファ済みユニット要求手順は、上記で説明したMIMOシステム100において実行され得る。この手順では、AP110は、TIM、RAW要素、およびCTXを含むビーコンフレーム701を送信し得る。TIMは、第1のSTA120a、第2のSTA120b、第3のSTA120c、第4のSTA120d、第5のSTA120m、および第6のSTA120xに送るためのバッファ済みデータをAP110が有することを示し得る。RAW要素は、いくつかのSTA120が送信することができない時間のウィンドウまたはスロットを画定することができ、それによって、いくつかの他のSTA120が送信することができるスケジュールされたタイムスロットをAP110が作ることが可能になる。この構成では、STA120は、以前のパケットからの間隔に基づいて送信する代わりに、それらのタイムスロットに基づいて送信する。STA120は、ビーコンフレーム701に含まれるRAWによって示されたスケジュールに基づいて、どのタイムスロットの間にSTA120が送信し得るかを判断する。図7における時間軸に沿った点線は、ビーコンフレーム701において示されるタイムスロットウィンドウを示す。他の実施形態では、APは、各STA120のためのスケジュールされたタイムスロットを画定するためにネットワーク割振りベクトル(NAV)を設定し得る。APは、ビーコン702において、またはビーコンフレーム701の直後に送られる別のフレームにおいて、NAVを設定し得る。CTXにおける送信のためにスケジュールされたSTA120は、NAV設定を無視し得る。NAV設定は、SDMAをサポートしないSTA120(たとえば、レガシーSTA)のためのスケジュールを提供し得る。したがって、この動作モードは、SDMAをサポートしないSTAに関する保護および優先度を提供し得る。
【００５３】
ビーコンフレーム701は、時間791に始まり時間792に終了する第1のタイムスロットの間に第1のSTA120aおよび第2のSTA120bが送信するスケジュールを画定する。スケジュールはまた、時間792に始まり時間793に終了する第2のタイムスロットの間に第3のSTA120cおよび第4のSTA120dが送信することを示す。スケジュールはまた、時間793に始まり時間794に終了する第3のタイムスロットの間に第5のSTA120mが送信することを示す。AP110は、ビーコンフレーム701に含まれるCTX要素において、STA120のすべてにMU MIMO/FDMAパラメータを提供し得る。ビーコンフレーム701において示されたスケジュールに従って、第1のSTA 120aおよび第2のSTA120bは、ビーコンフレーム701において示されたUL MU MIMO/UL FDMAパラメータを使用して、第1のタイムスロットの間にAP110にそれらのBU要求702aおよび702bを送信し得る。AP110は、ACKフレーム703によりBU要求702aおよび702bに応答し得る。ビーコンフレーム701において示されたスケジュールに従って、第3のSTA120cおよび第4のSTA120dは、CTXに従ってUL MU MIMO/UL FDMAを使用してBU要求704aおよび704bを同時に送信し得る。AP110は、ACKフレーム705によりBU要求704aおよび704bに応答し得る。ビーコンフレーム701において示されたスケジュールに従って、第5のSTA120mは、任意の他の局からのBU要求と時間的に重複しないBU要求706を送信し得る。たとえば、BU要求706の少なくとも一部分は、別のBU要求の少なくとも一部分の送信と重複する時間には送信されない。第6のSTA120xは、第5のSTA120mとともに送信するようにスケジュールされていることがあるが、第6のSTA120xは、アウェイクしていないことがあり、ビーコンフレーム701を受信していないことがある。AP110は、第5のSTA120mからBU要求フレーム706を受信することができ、ACKフレーム707により応答することができる。図7に示すように、ビーコンフレーム701によって画定されるスケジュールは、BU要求の同時送信をスケジュールすることによってネットワーク効率を改善し得る。CTXを含むAP110からのDL送信がMU MIMO/FDMA BU要求の送信をトリガすることを必要とされないので、このスケジュールはネットワーク効率を改善する。この構成は、理由は何であれCTXがSTA120によって受信されない場合に生じ得る遅延の可能性を低下させる。スケジューリングはまた、単独でBU要求を送る局の能力が無効化されている場合に有用であり得る。
【００５４】
図8は、ネットワーク効率を改善するためにUL MU MIMO/UL FDMAおよびBU要求のスケジューリングを利用するバッファ済みユニット要求手順の時間シーケンス図800である。図8のバッファ済みユニット要求手順は、上記で説明したMIMOシステム100において実行され得る。AP110は、TIM、RAW、およびCTX要素を含むビーコンフレーム801を送信し得る。TIMは、第1のSTA120a、第2のSTA120b、第3のSTA120c、第4のSTA120d、第5のSTA120m、および第6のSTA120xに送るためのバッファ済みデータをAP110が有することを示し得る。図8に示すように、ビーコンフレーム801においてRAWによって画定されたスケジュールは、STA120a〜d、120m、および120xを、後続ビーコンフレーム808の直前にあるタイムスロットにおいてそれらのBU要求を送信するように設定し得る。RAW要素は、第1のSTA120aおよび第2のSTA120bが、ビーコンフレーム801において設定されたUL MIMO/UL FDMAパラメータに従って、時間891に始まり時間892に終了する第1のタイムスロットにおいてそれぞれBU要求802aおよび802bを同時に送信するためのスケジュールを示し得る。AP110は、BU要求802aおよび802bを受信することができ、ACK803を送信することによって応答することができる。時間892に始まり時間893に終了する第2のタイムスロットでは、第3のSTA120cおよび第4のSTA120dは、RAW要素において示されたスケジュールに従ってAP110に、それぞれBU要求804aおよび804bを同時に送信し得る。AP110は、ACK805によりBU要求804aおよび804bに応答し得る。時間893に始まり時間894に終了する第3のタイムスロットの間に、第5のSTA120mは、AP110にBU要求806を送信することができ、AP110はACK807により応答する。第6のSTA120xは、AP110において保留中のデータを有するものとしてTIMにおいて識別されていることがあり、第5のSTA120mと同時に第3のタイムスロットの間にBU要求を送信するようにスケジュールされていることがある。しかしながら、第6のSTA120xは、スリープしていることがあり、ビーコンフレーム801を受信していないことがある。したがって、第6のSTA120xは、第3のタイムスロットの間にAP110にBU要求を送らないことがある。
【００５５】
次のビーコンフレーム808の直前にSTA120のBU要求を送るようにSTA120をスケジュールすることで、どのSTA120がスリープしているかをAP110は知ることがき、結果的にAP110はそのビーコンフレーム808においてスリープ中のSTA120に対処しないので、図8の手順は有益である。図8に示すように、第6のSTA120xはスリープしており、ビーコンフレーム801を受信していないので、AP110は、後続ビーコンフレーム808において第6のSTA120xをスケジュールしなくてよい。この構成がもたらす1つの利益は、AP110がアウェイクしていることを知っている局に対処することが可能であり、スリープしていることを知っている局に対処するのを遅らせることができ、それによって、スリープ中のSTA120が使用しないタイムスロットにスリープ中のSTA120がスケジュールされないので、ネットワーク効率を改善することである。この構成により、スリープしていることが知られているSTA120に対処しないので、後続ビーコンフレーム808のTIMフィールドを短くすることもできる。
【００５６】
上記で説明したように、スケジュールを画定するために、ビーコンのRAW要素が使用され得る。加えて、局をTIMにおけるそれらの位置に従って暗黙的にスケジュールするために、代わりにTIMビットマップが使用され得る。1つの例示的な暗黙的スケジューリング方式では、TIMに記載される第1の局は、第1のチャネル/ストリームを使用することができ、TIMに記載される第2の局は、第2のチャネル/ストリームを使用することができ、以下同様である。ただし、暗黙的スケジュールは、TIMビットマップに基づいて任意の適切な方法で決定され得る。特定のタイムスロットのためのチャネル/ストリームが満杯になったとき、BU要求を送信する必要がある残りの局は、満杯ではない後続のタイムスロットを使用し得る。
【００５７】
図9は、TIMに基づく暗黙的スケジューリングを使用するバッファ済みユニット要求手順の時間シーケンス図900である。図9のバッファ済みユニット要求手順は、上記で説明したMIMOシステム100において実行され得る。AP110は、TIM、RAW、およびCTX要素を含むビーコンフレーム901を送信し得る。TIMのビットマップは、順序を追って、第1のSTA120a、第2のSTA120b、第3のSTA120c、第4のSTA120d、第5のSTA120m、および第6のSTA120xに送るためのバッファ済みデータをAP110が有することを示し得る。6つのSTA120a〜d、120m、および120xは、TIMに基づいて暗黙的スケジュールを判断し得る。STA120は、TIMにおけるそれらの順序に基づいて、BU要求スケジュールにおけるそれらの順序を判断し得る。ビーコンフレーム901は、第1のSTA120aおよび第2のSTA120bを、ビーコンフレーム901を受信した直後にそれらのBU要求902aおよび902bを同時に送信するようにスケジュールし得る。暗黙的スケジュールは、第3のSTA120cおよび第4のSTA120dを、時間991に始まり時間992に終了する第1のタイムスロットにおいてそれらのBU要求903aおよび903bを同時に送信するように設定し得る。暗黙的スケジュールは、第5のSTA120mおよび第6のSTA120xを、時間992に始まり時間993に終了する後続のタイムスロットにおいてそれらのBU要求904aおよび904bを同時に送信するように設定し得る。スケジュールされたSTAがそれらのBU要求を送る間に他のSTAを不通にするために、ビーコンフレーム901にRAWフィールドがなお含まれ得る。ビーコンフレーム901に含まれるCTX要素は、UL MU MIMO/UL-FDMA送信のために必要とされるパラメータを定めるために使用され得る。BU要求メッセージを送信するようにスケジュールされたSTAのタイミングおよび数は、ビーコンフレームによって提供されるスケジュールにおいて示され得るか、またはあらかじめ決定され得る。
【００５８】
図10は、DLトリガと暗黙的スケジューリングの両方を使用するバッファ済みユニット要求手順の時間シーケンス図1000である。図10のバッファ済みユニット要求手順は、上記で説明したMIMOシステム100において実行され得る。APは、TIM、RAW、およびCTX要素を含むビーコンフレーム1001を送信し得る。TIMは、正確なタイムスロットには対応しないが、DLパケットによってトリガされる局のグループの順序付けには対応する暗黙的スケジュールを示し得る。TIMは、第1のSTA120a、第2のSTA120b、第3のSTA120c、第4のSTA120d、第5のSTA120m、および第6のSTA120xに送るためのバッファ済みデータをAP110が有することを示し得る。RAWは、BU要求を送るようにスケジュールされていないSTAを不通にするために使用され得、CTX要素は、STAによって使用されるUL-MU-MIMO/UL FDMAパラメータを含み得る。ビーコンフレーム1001におけるCTX要素は、第1のSTA120aがそれのBU要求1002aを、また第2のSTAがそれのBU要求1002bをAP110に送るためのトリガとして働き得る。AP110は、ACKフレーム1003を送ることによって、BU要求1002aおよび1002bに応答し得る。ACKフレーム1003は、第3のSTA120cがそれのBU要求1004aを、また第4のSTA120dがそれのBU要求1004bを送るためのトリガとして働き得る。AP110は、ACKフレーム1005によりBU要求1004aおよび1004bに応答し得る。ACKフレーム1005は、第5のSTA120mおよび第6のSTA120xがそれぞれそれらのBU要求1006aおよび1006bを送信するためのトリガとして働き得る。上記で説明したように、AP110からいくつかのSTAへのACKは、他のSTAからのBU要求をトリガするために使用され得る。
【００５９】
図11は、TIMに基づく暗黙的スケジューリングを使用するバッファ済みユニット要求手順の時間シーケンス図1100である。図11のバッファ済みユニット要求手順は、上記で説明したMIMOシステム100によって実行され得る。AP110は、TIMおよびCTX要素を含むビーコンフレーム1101を送信し得る。TIMは、第1のSTA120a、第2のSTA120b、第3のSTA120c、第4のSTA120d、第5のSTA120m、および第6のSTA120xに送るためのバッファ済みデータをAP110が有することを示し得る。上記で説明したように、TIMは局の順序を含み得る。たとえば、局の順序は、AP110によって各STA120に割り当てられたAIDに基づき得る。STA120は、TIMにおける局の順序に基づいてBU要求を送信するようにタイムスロットを暗黙的にスケジュールするように構成され得る。たとえば、より低いAIDを有するSTA120は、より高いAIDを有するSTA120の前にそれのBU要求を送信するようにタイムスロットをスケジュールし得る。第2のSTA120bは、TIMに記載され得るが、スリープしていることがあり、ビーコンフレーム1101を受信しないことがある。ビーコンフレーム1101が第1のSTA120aを、それのBU要求1102aを直ちに送信するようにトリガし得る一方、第2のSTA120bはそれのBU要求を送らないことがある。AP110は、BU要求の送信のためのトリガとして働かないACK1103によりBU要求1102aに応答し得る。代わりに、TIMは、第3のSTA120cおよび第4のSTA120dを、時間1191に始まり時間1192に終了する第1のタイムスロットにおいて、それぞれBU要求1104aおよび1004bを送信するように暗黙的スケジュールし得る。AP110は、BU要求送信のためのトリガとして働かないACK1105により、受信されたBU要求1104aおよび1104bに応答し得る。TIMは、暗黙的スケジュールにおいて、時間1192に始まる第2のタイムスロットを示し得る。第5のSTA120mおよび第6のSTA120xは、時間1192において第2のタイムスロットの間にそれぞれそれらのBU要求1106aおよび1106bを同時に送信するように、暗黙的スケジュールによってトリガされる。ビーコンフレーム1101はまた、スケジュールされていないSTAを不通にするように構成されたRAW要素を含むことができ、ビーコンフレーム1101は、BU要求のUL MU MIMO/UL FDMA送信のためのパラメータを示すためにCTX要素を使用し得る。
【００６０】
図12は、TIMに基づく暗黙的スケジューリングを使用するバッファ済みユニット要求手順の時間シーケンス図1200である。図12のバッファ済みユニット要求手順は、上記で説明したMIMOシステム100において実行され得る。AP110は、TIMを含むビーコンフレーム1201を送信し得る。TIMは、第1のSTA120a、第2のSTA120b、第3のSTA120c、第4のSTA120d、第5のSTA120m、および第6のSTA120xに送るためのバッファ済みデータをAP110が有することを示し得る。AP110は、80MHzの総帯域幅を有するように構成されてよく、帯域幅チャンクサイズは、20MHz以下であり得る。この構成は、3つの組み合わされた20MHz以下の帯域幅チャンクサイズが80MHzの総帯域幅よりも小さいので、3つの局がUL FDMAを使用して同時に送信することを可能にする。ビーコンフレーム1201においてTIMによって設定された暗黙的スケジュールは、第1、第2、および第3のSTA120a〜cが時間1291においてそれぞれBU要求1202a、1202b、および1202cを同時に送信するためのトリガとして働き得る。STA120a〜cの各々は、全体の80MHzの帯域幅のうちの20MHz以下を使用してそれらのBU要求を送信することができる。暗黙的スケジュールは、第4、第5、および第6のSTA120d、120m、および120xがそれらのそれぞれのBU要求1203a、1203b、および1203cを同時に送信するようにスケジュールされる、時間1292に始まる第2のタイムスロットを示し得る。上記で説明したように、BU要求はまた、他のDLフレームによってトリガされ得る。
【００６１】
図13は、UL MU MIMO/UL FDMAを利用し、PSポールフレームとAPSDフレームの両方を含むバッファ済みユニット要求手順の時間シーケンス図1300である。図13のBU要求手順は、上記で説明したMIMOシステム100において実行され得る。この手順では、AP110は、TIMフィールドおよびCTX要素を含むビーコン1301を送信し得る。TIMは、第1のSTA120a、第2のSTA120b、第3のSTA120c、および第4のSTA120dに送るためのバッファ済みデータをAP110が有することを示し得る。ビーコン1301は、AP110において保留中のDLデータを有するものとしてTIMフィールドにおいて示されるSTA120のためのUL MU MIMOまたはUL FDMAパラメータを提供し得る。この手順では、CTXは、第1のSTA120aおよび第2のSTA120bがBU要求を送信することが可であることを示し得る。AP110からCTXを受信したことに応答して、第1のSTA120aは、CTXにおいて提供されたUL MU MIMO/UL FDMAパラメータを使用してAPSDフレーム1302aを送り得る。APSDフレーム1302aは、第1のSTA120aにバッファ済みデータを送信するようAP110に要求する。AP110からCTXを受信したことに応答して、第2のSTA120bは、CTXにおいて提供されたUL MU MIMO/UL FDMAパラメータを使用してバッファ済みデータを要求するためにAP110にPSポールフレーム1302bを送信し得る。APSDフレーム1302aおよびPSポールフレーム1302bは、CTXにおいて提供されたパラメータに従って、異なるストリームまたはチャネル上で、同時に送信され得る。この手順では、CTX要素を含むビーコン1301は、第1のSTA120aがAPSDフレーム1302aを送るための、また第2のSTA120bがPSポールフレーム1302bを送るためのトリガとして働く。AP110は、DL MU MUMO、DL FMDAにおいて、またはマルチキャストACKフレームとして、第1および第2のSTA120aおよび120bにACKフレーム1303を送ることによって、APSDフレーム1302aおよびPSポールフレーム1302bに応答し得る。
【００６２】
APSDフレーム1302aは、第1のSTA120aがアウェイクしており、第1のSTA120aのためのAP110においてバッファされたデータを受信するために要求していることを示すアクセスカテゴリー(AC)を有するデータフレームを含み得る。一般に、フレームのACは、サービス品質を保証するためのデータの優先度を示す。アクセスカテゴリーは、たとえば、ベストエフォート(AC_BE)、バックグラウンド(AC_BG)、ビデオ(AC_VI)、および音声(AC_VO)カテゴリーを含み得る。APSD手順では、STA120からAP110に送られるデータフレームは、BU要求として働くように設定された特定のアクセスカテゴリーを有し得る。ビーコンまたはCTXは、どのACがBU要求を示し、したがってAP110からバッファ済みデータを受信するためのトリガとして働くかの指示を含み得る。
【００６３】
上記で説明したように、AP110はまた、第3のSTA120cおよび第4のSTA120dに送るためにバッファされたデータを有し得る。AP110は、第3および第4のSTA120からのUL MU MIMOまたはUL FMDA BU要求のセットをトリガするためにACKフレーム1303を使用し得る。たとえば、AP110は、ACKフレーム1303にCTX要素を含めることができる。ACKフレーム1303におけるCTX要素は、第3および第4のSTA120cおよび120dが送信することを可とし得る。第3および第4のSTA120cおよび120dのためのUL MU MIMO/UL FDMAパラメータは、上記で説明したようにビーコン1301において以前定義されていることがある。代替的に、CTXフィールドを含むACKフレーム1303は、MU MIMOまたはFDMA送信のための必要なパラメータをさらに含み得る。CTXフィールドを含むACKフレーム1303を受信したことに応答して、第3のSTA120cは、UL MU MIMO/UL FDMAを使用してAP110にAPSDフレーム1304bを送信する第4のSTA120dと同時にAP110にPSポールフレーム1304aを送信し得る。APSDフレーム1302a、PSポールフレーム1302b、PSポールフレーム1304a、およびAPSDフレーム1304bをそれぞれ第1、第2、第3、および第4のSTA120a〜dから受信したことに応答して、AP110は、STA120a〜dがアウェイクしていると判断し得る。AP110は、STA120a〜dにダウンリンクデータを送り得る。たとえば、AP110は、第1、第2、第3、および第4のSTA120a〜dからのフレーム1302a、1302b、1304a、および1304bの各々に、データフレーム1305により直接応答し得る。AP110は、DLシングルユーザ(SU)送信またはDL MU送信のいずれかを使用して、各STA120a〜dにデータフレーム1305を送ることができる。図13に示すように、PSポールとAPSDフレームの両方は、STAにバッファ済みデータを送信するようAP110に求めるBU要求として働き得る。また、AP110によって送られたビーコン1301とDL ACKフレーム1303の両方は、特定の局のためのUL MU MIMO/UL FDMA送信のためのトリガの働きをし得る。
【００６４】
図14は、UL MU MIMO/UL FDMAを利用する自動省電力配信手順の時間シーケンス図1400である。図14のAPSD手順は、上記で説明したMIMOシステム100において実行され得る。この手順では、AP110は、TIMフィールドを含むビーコンフレーム1401を送信し得る。TIMは、第1のSTA120aおよび第2のSTA120bに送るためのバッファ済みデータをAP110が有することを示し得る。AP110は、TIMにおいて示されるSTA120aおよび120bのためのUL MU MIMOまたはUL FDMAパラメータを提供するCTXフレーム1402を送り得る。いくつかの実装形態では、ビーコンフレーム1401は、いつAP110がCTXフレーム1402を送るかを示す情報要素(IE)を含む。AP110においてバッファ済みデータを有することをTIMによって示されたSTA120は、IEを読み取り、CTXフレーム1402を受信するためにビーコンフレーム1401において示された時間だけ待機する。CTXフレーム1402は、第1のSTA120aおよび第2のSTA120bがAP110にBU要求を送信することが可であることを示し得る。AP110からCTXフレーム1402を受信したことに応答して、第1のSTA120aは、CTXフレーム1402において提供されたUL MU MIMO/UL FDMAパラメータを使用してAP110にバッファ済みデータを要求するためにAPSDフレーム1403aを送信し得る。AP110からCTXフレーム1402を受信したことに応答して、第2のSTA120bは、CTXフレーム1402において提供されたUL MU MIMO/UL FDMAパラメータを使用してAP110にバッファ済みデータを要求するためにAPSDフレーム1403bを送信し得る。図14に示すように、APSDフレーム1403aおよび1403bは、CTXフレーム1402において提供されたパラメータに従って、異なるストリームまたはチャネル上で、同時に送信され得る。この手順では、CTXフレーム1402は、第1のSTA120aおよび第2のSTA120bがそれらのAPSDフレーム1403aおよび1403bを送るためのトリガとして働く。
【００６５】
場合によっては、AP110は、DL MU MUMO、DL FMDAにおいて、またはマルチキャストACKフレームとして、第1および第2のSTA120aおよび120bにACKフレーム1404を送ることによって、APSDフレーム1403aおよび1403bに応答し得る。ACKフレーム1404は、APSDフレーム1403aおよび1403bの受信を肯定応答し得る。いくつかの実施形態では、STA120aおよび120bは、それらのBU要求(たとえば、APSDフレーム)の送信のための競合を実行するように構成される。STA120aおよび120bは、AP110からACKフレーム1404を受信すると競合プロセスを中止するように構成され得る。AP110がACKフレーム1404により応答した場合、AP110は後でバッファ済みデータを送り得る。いくつかの実施形態では、AP110はACKフレーム1404を送らないことがあり、代わりに、APSDフレーム1403aおよび1403bを受信したことに応答してバッファ済みデータを送ることがある。
【００６６】
APSDフレーム1403aおよび1403bは、送信側STA120がアウェイクしており、AP110からバッファ済みデータを受信するために要求していることを示す、上記で説明したような特定のACを有するデータフレームをそれぞれ含み得る。バッファ済みデータのACは、CTXフレーム1402において示され得る。したがって、各STA120は、上記で説明したAPSD手順を実行するためにデータフレームにどのACを使用すべきかを判断し得る。
【００６７】
いくつかの実施形態では、CTXフレーム1402は、各STA120のためにリソース(たとえば、チャネルまたはストリーム)を割り振る。CTXフレーム1402は、いくつかのSTA120にいくつかのリソースを割り振り得る。ただし、いくつかの状況では、STA120はスリープしていることがあり、そのSTA120に割り振られたリソースを使用しないことがあり、それによってリソースが無駄になり、ネットワーク効率が低下する。いくつかの実施形態では、CTXフレーム1402は、STA120のためにランダムアクセスリソース(たとえば、チャネルまたはストリーム)を割り振り得る。ランダムアクセスリソースは、CTXフレーム1402において示されるSTA120のサブセットまたはすべてによってアクセスされ得る。複数のSTA120が同じランダムアクセスリソース上で送信することがあり、これは送信の衝突を招き得る。同じランダムアクセスリソース上で送信する複数のSTA120の間の衝突確率を低下させるために、競合解消プロトコルが使用され得る。
【００６８】
APSDフレーム1403aおよび1403bを受信したことに応答して、AP110は、第1のSUまたはMUデータ1405(たとえば、バッファ済みデータ)を送信する。STA120aおよび120bは、ACKフレーム1406を送信することによって第1のSUまたはMUデータ1405に応答し得る。いくつかの実施形態では、CTXフレーム1402は、各STA120からのどのタイプのULフレームがBU要求として処理されるかを示し得る。たとえば、CTXフレーム1402は、PSポールもしくはAPSDフレーム、または両方がBU要求として処理されることを示し得る。CTXフレーム1402はまた、どのタイプのULフレームが局ごとにBU要求として処理されるかを示し得る。
【００６９】
上記で説明したAPSD手順は、PSポール手順よりも有利な点を提供し得る。たとえば、PSポール手順では、AP110は、1つのPSポールを受信したことに応答して、1つの媒体アクセス制御(MAC)プロトコルデータユニット(MPDU)を送信し得る。APSD手順では、AP110は、1つのAPSDフレームを受信したことに応答して、STA120がアウェイクしている間に複数のMPDUを最大数まで送り得る。AP110は、最後のMPDUにおいてサービス期間終了(EoSP)ビットを設定することによって、データ送信の終了を示し得る。図14に示すように、AP110は、STA120aおよび120bに第2のSUまたはMUデータ1407を送信し得る。第2のSUまたはMUデータ1407は、EoSPビット設定を有し得る。AP110は、BU要求がどのように受信されるか(たとえば、同時的であるかどうか)に関係なく、そのようなSUデータまたはMUデータを送り得る。第2のSUまたはMUデータ1407を受信したことに応答して、STA120aおよび120bはACK1408を送信し得る。
【００７０】
図15は、UL MU MIMO/UL FDMAを利用し、オフセットCTXを含む自動省電力配信手順の時間シーケンス図1500である。図15のAPSD手順は、上記で説明したMIMOシステム100において実行され得る。この手順では、AP110は、TIMフィールドを含むビーコンフレーム1501を送信し得る。TIMは、第1のSTA120aおよび第2のSTA120bに送るためのバッファ済みデータをAP110が有することを示し得る。ビーコンフレーム1501はまた、AP110がCTXフレーム1502を送らなくてよい、ビーコンフレーム1501の送信後の時間M1592の量を示し得る。いくつかの実装形態では、ビーコンフレーム1501は、いつAP110がCTXフレーム1502を送るかを示す情報要素(IE)を含む。AP110においてバッファ済みデータを有することをTIMによって示されたSTA120は、IEを読み取り、CTXフレーム1502を受信するためにビーコンフレーム1501において示された時間だけ待機する。時間1591において、ビーコンフレーム1501を受信した後、STA120aおよび120bはスリープモードに入り得る。STA120aおよび120bは、時間M1592の長さにわたってスリープモードにとどまり得る。時間M1592の長さの後、STA120aおよび120bは、AP110によって送信されたCTXフレーム1502を受信するために、時間1593にウェイクアップし得る。
【００７１】
CTXフレーム1502は、STA120aおよび120bのためのUL MU MIMOまたはUL FDMAパラメータを提供することができ、STA120aおよび120bがBU要求(たとえば、APSDフレーム)を送信することが可であることを示し得る。AP110からCTXフレーム1502を受信したことに応答して、かつショートフレーム間スペース(SIFS)1594の後、第1のSTA120aは、CTXフレーム1502において提供されたUL MU MIMO/UL FDMAパラメータを使用してAP110にバッファ済みデータを要求するためにAPSDフレーム1503aを送信し得る。第2のSTA120bは、CTXフレーム1502において提供されたUL MU MIMO/UL FDMAパラメータを使用してAP110にバッファ済みデータを要求するために、異なるストリームまたはチャネル上でAPSDフレーム1503bを同時に送信し得る。この手順では、CTXフレーム1502は、第1のSTA120aおよび第2のSTA120bがそれらのAPSDフレーム1503aおよび1503bを送るためのトリガとして働く。
【００７２】
APSDフレーム1503aおよび1503bを受信したことに応答して、AP110は、SIFS1595の後、STA120aおよび120bに第1のSUまたはMUデータ1504を送信し得る。AP110は、STA120aおよび120bに送信するためにバッファされたさらなるデータを有し得る。したがって、AP110は、STA120aおよび120bに第2のSUまたはMUデータ1505および第3のSUまたはMUデータ1506を送信し得る。第3のSUまたはMUデータ1506は、それが最後のバッファ済みフレームであることを示すEoSPビット設定を有し得る。上記で説明したように、APSD手順は、AP110が、STA120からAPSDフレームを受信したことに応答して2つ以上のデータフレームを送信することを可能にする。
【００７３】
図16は、自動省電力配信フレームの送信のために競合を利用する自動省電力配信手順の時間シーケンス図1600である。図16のAPSD手順は、上記で説明したMIMOシステム100において実行され得る。この手順では、AP110は、TIMフィールドを含むビーコン1601を送信し得る。TIMは、第1のSTA120aに送るためのバッファ済みデータをAP110が有することを示し得る。いくつかの実施形態では、STA120およびAP110は、CTXが送られるべき時間T1691の間隔を交渉し得る。ビーコン1601は、時間T1691の量を示し得る。STA120が制限付きレイテンシ(bounded latency)を必要とするトラフィック(たとえば、トラフィックが規則的な間隔で受信される)を有し得るので、STA120がBU要求を送信するために競合することが許されない場合に、時間T1691の量を使用してCTXのための時間間隔を設定することは利点をもたらし得る。STA120は、時間T1691の間にPSポール、APSDフレーム、または別のBU要求を送信するために競合を実行することを禁止され得る。
【００７４】
図16に示すように、AP110は、時間T1691内に第1のSTA120aにCTXフレームを送信しなくてよい。時間T1691の間にCTXフレームを受信しなかったことに応答して、第1のSTA120aは、SU APSDフレーム1602を送信するために時間C1692の間に競合を実行し得る。ある実施形態では、第1のSTA120aはまた、CTXに応答してAPSDフレームを送信した後にAP110からACKを受信しなかったことに応答して、SU APSDフレーム1602または別のBU要求を送信するために競合を実行するように構成され得る。いくつかの実施形態では、BU要求フレーム(たとえば、PSポールまたはAPSDフレーム)は、AP110に送信するためにSTA120が有する他の情報とアグリゲートされ得る。これは、追加情報の個別送信と比較して、より効率的なシグナリングを可能にし得る。追加情報は、たとえば、バッファステータス情報、UL送信の送信機会(TXOP)の要求、またはデータとともにビーコン更新済み管理情報を提供するようAP110に求める要求を含み得る。TXOPの要求をアグリゲートすることは、オーバーヘッドおよび競合減少の点で利点をもたらし得る。その上、いくつかの動作モードでは、STA120は、自律的に媒体で競合し、媒体にアクセスすることを許されないことがあり、任意のULシグナリングを送る前にAP110からCTXを受信するのを待たなければならないことがある。BU要求と他の情報をアグリゲートすることは、より効率的な動作を可能にする。APSDデータフレームはまた、A-MPDUにおいて、データ、制御または管理MPDUなどの他のMPDUとアグリゲートされ得る。
【００７５】
SU APSDフレーム1602を受信したことに応答して、AP110は、第1のSTA120aにACKフレーム1603を送信し得る。SU APSDフレーム1602を受信したことに応答して、AP110は、バッファ済みデータのスケジュールされた送信時間および送信機会の指示も送信し得る。したがって、第1のSTA120aは、スケジュールされた時間までスリープするように構成され得る。AP110は、(たとえば、DL MU MIMOまたはDL OFDMA送信を通じて)同じ送信機会にバッファ済みデータを受信するようにスケジュールされた他のSTA120に、スケジュールされた送信時間の指示を提供し得る。AP110はまた、送信機会の間にSTA120が送り得るULデータのアクセスカテゴリーに対する制限を示し得る。
【００７６】
図5〜図16に関して上記で説明した実施形態では、BU要求フレームは、他のタイプのフレームに置き換えられ得る。たとえば、サービス品質ヌルフレーム、データフレーム、管理フレーム、制御フレーム、または任意の他のフレームが、STA120がアウェイクしていることをAP110に示すために提供され得る。
【００７７】
図17は、ワイヤレス通信を実現するための例示的な方法1700を示すフローチャートである。方法1700は、上記で説明したMIMOシステム100において実施され得る。いくつかの態様では、方法1700は、図1のAP110または図3のワイヤレスデバイス302によって実施され得る。ブロック1701において、AP110は、たとえば、指定された時間に同時に自動省電力配信フレームを送信するよう2つ以上のデバイスに求める要求メッセージを生成し得る。一態様では、2つ以上のデバイスは、図1のSTA120または図3のワイヤレスデバイス302を含み得る。様々な実施形態では、要求メッセージは、ビーコンフレーム、肯定応答フレーム、および送信可フレームのうちの少なくとも1つを含み得る。ブロック1702において、AP110は、たとえば、2つ以上のデバイスに要求メッセージを送信し得る。
【００７８】
追加または代替として、方法1700の一部として、AP110は、たとえば、第1の時間期間の間にAPSDフレームの第1のフレームの少なくとも第1の部分を受信し、第2の時間期間の間にAPSDフレームの第2のフレームの少なくとも第2の部分を受信することができ、第1の時間期間と第2の時間期間とが重複する。追加または代替として、方法1700の一部として、AP110は、たとえば、2つ以上のデバイスの各々がAPSDフレームを送信するためのスケジュールに従って、2つ以上のデバイスからAPSDフレームを受信することができ、要求メッセージがスケジュールを含む。追加または代替として、方法1700の一部として、AP110は、たとえば、示されたアクセスカテゴリーをそれぞれ有する2つ以上のデバイスからのAPSDフレームを受信することができ、要求メッセージが、2つ以上のデバイスの各々からのAPSDフレームのうちの少なくとも1つの送信のためのアクセスカテゴリーを示す。追加または代替として、方法1700の一部として、AP110は、たとえば、アップリンクマルチユーザMIMO送信およびアップリンクFDMA送信のうちの少なくとも1つを介して、2つ以上のデバイスからAPSDフレームを受信し得る。追加または代替として、方法1700の一部として、AP110は、たとえば、2つ以上のデバイスからAPSDフレームを受信すること、APSDフレームを受信したことに応答してシングルユーザデータもしくはマルチユーザデータを含む少なくとも1つのデータメッセージを生成すること、および/または2つ以上のデバイスに少なくとも1つのデータメッセージを送信することができる。
【００７９】
いくつかの態様では、要求メッセージは、ビーコンフレームを含み、AP110は、たとえば、ビーコンフレームを送信した後に送信可フレームを送信することができ、ビーコンフレームが、いつ送信可フレームが2つ以上のデバイスに送信されるかを示す情報要素(IE)を含む。様々な態様では、要求メッセージは、ビーコンフレームを含み、AP110は、たとえば、ビーコンフレームを送信した後に送信可フレームを送信し、ビーコンフレームが、送信可フレームが2つ以上のデバイスに送信されない時間Mを示す。様々な実施形態では、要求メッセージは、ビーコンフレームを含み、AP110は、たとえば、ビーコンフレームを送信した後に送信可フレームを送信し、ビーコンフレームが、送信可フレームが2つ以上のデバイスに送信されない第1の時間Mおよび第1の時間Mの後に2つ以上のデバイスが競合を実行し得る第2の時間Cを示す。
【００８０】
上記で説明した様々な手順および実施形態を実行および実装するために、ワイヤレス通信のための装置が提供され得る。本装置は、2つ以上の局にメッセージを送信するための手段を含むことができ、メッセージが、特定の時間に同時に省電力ポールを送信するよう2つ以上の局に要求する。本装置は、局の各々から省電力ポールを同時に受信するための手段をさらに含み得る。本装置は、APSDフレーム、またはその少なくとも一部分を受信するための手段をさらに含み得る。本装置はまた、シングルユーザデータまたはマルチユーザデータを含む少なくとも1つのデータメッセージを生成するための手段と、それを送信するための手段とを含むことができる。
【００８１】
当業者は、情報および信号が、様々な異なる技術および技法のいずれかを使用して表され得ることを理解されよう。たとえば、上記の説明全体にわたって言及され得るデータ、命令、コマンド、情報、信号、ビット、シンボル、およびチップは、電圧、電流、電磁波、磁場もしくは磁性粒子、光場もしくは光学粒子、またはそれらの任意の組合せによって表され得る。
【００８２】
本開示で説明する実装形態への様々な変更形態が、当業者には容易に明らかになり、本明細書で定義する一般原理は、本開示の趣旨または範囲から逸脱することなく他の実装形態に適用され得る。したがって、本開示は、本明細書で示す実装形態に限定されるものではなく、本明細書で開示する特許請求の範囲、原理および新規の特徴と一致する最も広い範囲を与えられるべきである。「例示的な」という単語は、本明細書では、「例、事例、または例示の働きをすること」を意味するように排他的に使用される。「例示的な」として本明細書で説明するいかなる実装形態も、他の実装形態よりも好ましいか、または有利であると必ずしも解釈されるべきでない。
【００８３】
本明細書において別々の実装形態との関連で説明するいくつかの特徴はまた、単一の実装形態において組み合わせて実装され得る。反対に、単一の実装形態との関連で説明する様々な特徴はまた、複数の実装形態において別々に、または任意の適切な部分組合せにおいて実装され得る。その上、特徴は、いくつかの組合せで機能すると上記で説明され、さらに最初にそのように特許請求されることがあるが、特許請求される組合せからの1つまたは複数の特徴が、場合によっては、その組合せから削除されることがあり、特許請求される組合せは、部分組合せまたは部分組合せの変形形態を対象にすることがある。
【００８４】
本明細書で使用される、項目のリスト「のうちの少なくとも1つ」に言及する句は、単一の要素を含むそれらの項目の任意の組合せを指す。一例として、「A、B、またはCのうちの少なくとも1つ」は、A、またはB、またはC、またはAおよびB、またはAおよびC、またはBおよびC、またはA、B、およびC、または2A、または2B、または2Cなどを包含するものである。
【００８５】
上記で説明した方法の様々な動作は、様々なハードウェアおよび/またはソフトウェア構成要素、回路、および/またはモジュールなど、動作を実行することが可能な任意の適切な手段によって実行され得る。たとえば、生成するための様々な手段は、図3のプロセッサ304、メモリ306、信号検出器318、もしくはDSP320、またはそれらの均等物のうちの1つまたは複数を含み得る。受信するための様々な手段は、図3のプロセッサ304、信号検出器318、DSP320、受信機312、もしくはトランシーバ314、またはそれらの均等物のうちの1つまたは複数を含み得る。さらに、送信するための手段は、図3のプロセッサ304、信号検出器318、DSP320、送信機310、もしくはトランシーバ314、またはそれらの均等物のうちの1つまたは複数を含み得る。一般に、図に示す任意の動作は、動作を実行することが可能な対応する機能的手段によって実行されてもよい。
【００８６】
本開示に関連して説明した様々な例示的な論理ブロック、モジュールおよび回路は、汎用プロセッサ、デジタル信号プロセッサ(DSP)、特定用途向け集積回路(ASIC)、フィールドプログラマブルゲートアレイ信号(FPGA)もしくは他のプログラマブル論理デバイス(PLD)、個別ゲートもしくはトランジスタロジック、個別ハードウェア構成要素、または本明細書で説明した機能を実行するように設計されたそれらの任意の組合せを用いて実装または実行されてもよい。汎用プロセッサは、マイクロプロセッサであり得るが、代替として、プロセッサは、任意の市販のプロセッサ、コントローラ、マイクロコントローラ、または状態機械であり得る。プロセッサはまた、コンピューティングデバイスの組合せ、たとえば、DSPとマイクロプロセッサの組合せ、複数のマイクロプロセッサ、DSPコアと一体となった1つもしくは複数のマイクロプロセッサ、または任意の他のそのような構成として実装されてもよい。
【００８７】
1つまたは複数の態様では、説明した機能は、ハードウェア、ソフトウェア、ファームウェア、またはそれらの任意の組合せにおいて実装されてもよい。ソフトウェアにおいて実装される場合、機能は、1つまたは複数の命令またはコードとして、コンピュータ可読媒体上に記憶されるか、またはコンピュータ可読媒体を介して送信されてもよい。コンピュータ可読媒体は、コンピュータ記憶媒体と、コンピュータプログラムのある場所から別の場所への転送を容易にする任意の媒体を含む通信媒体の両方を含む。記憶媒体は、コンピュータによってアクセスされ得る任意の入手可能な媒体とすることができる。限定ではなく例として、そのようなコンピュータ可読媒体は、RAM、ROM、EEPROM、CD-ROMもしくは他の光ディスクストレージ、磁気ディスクストレージもしくは他の磁気ストレージデバイス、または命令もしくはデータ構造の形態の所望のプログラムコードを搬送もしくは記憶するために使用され得、コンピュータによってアクセスされ得る任意の他の媒体を含むことができる。また、任意の接続をコンピュータ可読媒体と呼ぶことも妥当である。たとえば、ソフトウェアが、同軸ケーブル、光ファイバーケーブル、ツイストペア、デジタル加入者回線(DSL)、または赤外線、無線、およびマイクロ波などのワイヤレス技術を使用してウェブサイト、サーバ、または他のリモートソースから送信される場合、同軸ケーブル、光ファイバーケーブル、ツイストペア、DSL、または赤外線、無線、およびマイクロ波などのワイヤレス技術は、媒体の定義に含まれる。本明細書で使用されるディスク(disk)およびディスク(disc)は、コンパクトディスク(CD)、レーザーディスク(登録商標)、光ディスク、デジタル多用途ディスク(DVD)、フロッピーディスクおよびブルーレイディスクを含み、ディスク(disk)は通常、データを磁気的に再生し、ディスク(disc)は、レーザーを用いてデータを光学的に再生する。したがって、いくつかの態様では、コンピュータ可読媒体は、非一時的コンピュータ可読媒体(たとえば、有形媒体)を含み得る。加えて、いくつかの態様では、コンピュータ可読媒体は、一時的コンピュータ可読媒体(たとえば、信号)を含み得る。上記のものの組合せもまた、コンピュータ可読媒体の範囲内に含まれるべきである。
【００８８】
本明細書で開示した方法は、説明した方法を達成するための1つまたは複数のステップまたはアクションを含む。方法ステップおよび/または方法アクションは、特許請求の範囲から逸脱することなく互いに交換され得る。言い換えればと、ステップまたはアクションの特定の順序が明記されていない限り、特定のステップおよび/またはアクションの順序および/または使用は、特許請求の範囲を逸脱することなく変更され得る。
【００８９】
さらに、本明細書で説明する方法および技法を実行するためのモジュールおよび/または他の適切な手段が、適用可能な場合には、局および/または基地局によってダウンロードおよび/または別の方法で取得され得ることを諒解されたい。たとえば、本明細書で説明する方法を実行するための手段の転送を容易にするために、そのようなデバイスをサーバに結合することができる。代替的には、本明細書で説明する様々な方法は、デバイスに記憶手段を結合するか、またはデバイスに記憶手段を設けたときに、局および/または基地局が様々な方法を取得することができるように、記憶手段(たとえば、RAM、ROM、コンパクトディスク(CD)またはフロッピー(登録商標)ディスクなどの物理記憶媒体など)を介して提供され得る。その上、本明細書で説明した方法および技法をデバイスに提供するための任意の他の適切な技法を利用することができる。
【００９０】
前述のものは本開示の態様を対象とするが、本開示の他の態様およびさらなる態様が、その基本的範囲から逸脱することなく考案されてもよく、その範囲は、以下の特許請求の範囲によって決定される。
【符号の説明】
【００９１】
100  システム、MOMOシステム
110  アクセスポイント、AP
120  局、STA、SDMA局、非SDMA局
120a  第1のSTA、STA
120b  第2のSTA、STA
120c  第3のSTA、STA
120d  第4のSTA、STA
120m  局、第5のSTA、STA
120x  局、第6のSTA、STA
130  システムコントローラ
208  データソース
210  TXデータプロセッサ
220  TX空間プロセッサ
222  複合受信機/送信機(TMTR/RCVR)
224  アンテナ
224a〜224ap  アンテナ
228  チャネル推定器
230  コントローラ
234  スケジューラ
240  RX(受信機)空間プロセッサ
242  RXデータプロセッサ
244  データシンク
252  アンテナ
252ma〜252mu  アンテナ
252xa〜252xu  アンテナ
254  複合受信機/送信機ユニット(RCVR/TMTR)
260  RX空間プロセッサ
270  RXデータプロセッサ
278  チャネル推定器
280  コントローラ
286  データソース
288  TXデータプロセッサ
290  TX空間プロセッサ
302  ワイヤレスデバイス
304  プロセッサ
306  メモリ
308  ハウジング
310  送信機回路
312  受信機回路
314  トランシーバ
316  トランシーバアンテナ、アンテナ
318  信号検出器
320  デジタル信号プロセッサ(DSP)
322  バスシステム
400  時間シーケンス図
401  ビーコンフレーム
403  肯定応答(「ACK」)フレーム
402  BU要求フレーム、BU要求
404  BU要求
405  データフレーム
406  データフレーム
500  時間シーケンス図
501  ビーコン
502a  BU要求
502b  BU要求
503  ACKフレーム、ACK、DL ACK
504a  BU要求
504b  BU要求
505  データフレーム
600  時間シーケンス図
601  ビーコンフレーム
602  BU要求フレーム、BU要求
603  ACKフレーム
604a  BU要求
604b  BU要求
606  CTXフレーム
607a  BU要求
607b  BU要求
608  データフレーム
610  時間シーケンス図
612  CTXフレーム
613  ACK
700  時間シーケンス図
701  ビーコンフレーム
702  ビーコン
702a  BU要求
702b  BU要求
703  ACKフレーム
704a  BU要求
704b  BU要求
705  ACKフレーム
706  BU要求
707  ACKフレーム
791  時間
792  時間
793  時間
794  時間
800  時間シーケンス図
801  ビーコンフレーム
802a  BU要求
802b  BU要求
803  ACK
804a  BU要求
804b  BU要求
805  ACK
806  BU要求
807  ACK
808  ビーコンフレーム
891  時間
892  時間
893  時間
894  時間
900  時間シーケンス図
901  ビーコンフレーム
902a  BU要求
902b  BU要求
903a  BU要求
903b  BU要求
904a  BU要求
904b  BU要求
991  時間
992  時間
993  時間
1000  時間シーケンス図
1001  ビーコンフレーム
1002a  BU要求
1002b  BU要求
1003  ACKフレーム
1004a  BU要求
1004b  BU要求
1005  ACKフレーム
1006a  BU要求
1006b  BU要求
1100  時間シーケンス図
1101  ビーコンフレーム
1102a  BU要求
1103  ACK
1104a  BU要求
1104b  BU要求
1105  ACK
1106a  BU要求
1106b  BU要求
1191  時間
1192  時間
1200  時間シーケンス図
1201  ビーコンフレーム
1202a  BU要求
1202b  BU要求
1202c  BU要求
1203a  BU要求
1203b  BU要求
1203c  BU要求
1291  時間
1292  時間
1300  時間シーケンス図
1301  ビーコン
1302a  APSDフレーム、フレーム
1302b  PSポールフレーム、フレーム
1303  ACKフレーム
1304a  PSポールフレーム、フレーム
1304b  APSDフレーム、フレーム
1305  データフレーム
1400  時間シーケンス図
1401  ビーコンフレーム
1402  CTXフレーム
1403a  APSDフレーム
1403b  APSDフレーム
1404  ACKフレーム
1405  第1のSUまたはMUデータ
1406  ACKフレーム
1407  第2のSUまたはMUデータ
1408  ACK
1500  時間シーケンス図
1501  ビーコンフレーム
1502  CTXフレーム
1503a  APSDフレーム
1503b  APSDフレーム
1504  第1のSUまたはMUデータ
1505  第2のSUまたはMUデータ
1506  第3のSUまたはMUデータ
1591  時間
1592  時間M
1593  時間
1594  ショートフレーム間スペース(SIFS)
1595  SIFS
1600  時間シーケンス図
1601  ビーコン
1602  SU APSDフレーム
1603  ACKフレーム
1691  時間T
1692  時間C
1700  方法
【図１】
0006744311.tif 000002
【図２】
0006744311.tif 000003
【図３】
0006744311.tif 000004
【図４】
0006744311.tif 000005
【図５】
0006744311.tif 000006
【図６Ａ】
0006744311.tif 000007
【図６Ｂ】
0006744311.tif 000008
【図７】
0006744311.tif 000009
【図８】
0006744311.tif 000010
【図９】
0006744311.tif 000011
【図１０】
0006744311.tif 000012
【図１１】
0006744311.tif 000013
【図１２】
0006744311.tif 000014
【図１３】
0006744311.tif 000015
【図１４】
0006744311.tif 000016
【図１５】
0006744311.tif 000017
【図１６】
0006744311.tif 000018
【図１７】
0006744311.tif 000019